(57)【要約】【課題】従来の止水栓は、止水機能を中心とし、異物の濾過、逆流防止、流量調整については独立した機器を別に設定してきているが、止水栓設置環境の変化等に関連して配水配管中に異物が流入することも多くなり、配管システムへのストレーナ機構の組み入れ、栓体の面間距離短縮の必要が生じてきている。【解決手段】ボールバルブ２の２次側側部に、上面を弁座に構成し側周に濾過スクリーンを設定したユニット体３を嵌装した通水室２３を設け、その上部に上記ユニット体の弁座に着座する浮動弁体を先端に着合して昇降作動する栓棒止水弁と２次側通水口に逆止弁５を設定した弁室を設けて構成した。【選択図】図３
2007278335.tif 000002
【特許請求の範囲】
【請求項１】
回動操作によって通水路を開閉するボールバルブの２次側側部に、上面を弁座に構成し、側周に濾過スクリーンを設定したユニット体を嵌装した通水室を設け、その上部に上記ユニット体の弁座に着座する浮動弁体を先端に作動可能に着合して昇降作動する栓棒止水弁と２次側通水口に逆止弁を設定した弁室を設けたことを特徴とするストレーナ止水栓
【請求項２】
ボールバルブの回動支軸を、ボールに穿設された排出通水孔の中軸に対して所定角度偏心させた位置に設定し、通水が排出通水室に対して斜降角度をもって排出されるように構成した請求項１記載のストレーナ止水栓
【請求項３】
止水栓の２次側端部を、水道用メータの１次側端部に着合する伸縮管構成とし、伸縮管内に逆止弁を設定するようにした請求項１又は請求項２記載のストレーナ止水栓
【請求項４】
通水配管の中心軸線に対して、ボールバルブ弁室と栓棒止水弁室を横並びに並列設定して通水配管の長手方向面間距離を短縮するようにした請求項１又は請求項２又は請求項３記載のストレーナ止水栓
【請求項５】
止水部と逆止弁部の間に覆蓋機構を設けた通気孔を穿設するようにした請求項１又は請求項２又は請求項３又は請求項４記載のストレーナ止水栓
【発明の詳細な説明】
【技術分野】
【０００１】
本発明は、副栓として回動操作によるボールバルブ機構を持つ止水栓に、簡易に交換、清掃が可能なストレーナ機構を設定し、併せて、逆流防止、流量調整をも行えるようにしたストレーナ止水栓に関するものである。
【背景技術】
【０００２】
従来、給水本管からの分水配管所要箇所に設定される止水栓は、止水機能のみを中心とし、異物の濾過、逆流防止、流量調整については逆止弁等の独立した機器を別に設定してきているが、水道用メータの設置環境の変化等に関連して機器配列の長さスペース（所謂、面間距離）を可能な限り短縮しなければならない必要に迫られてきている。
【０００３】
更に、マンション等集合住宅の発展により分水配管の形態も変化し、配水配管中に異物が流入することも多くなり、配管システム中にこれを阻止、排除するためのストレーナ機構を組み入れる必要も生じてきた。
【０００４】
そのため、特許文献１に記載されるように逆止弁とストレーナを一体に備えた止水栓、特許文献２に記載されるような逆止弁を一体に備えた止水栓が開発され、水道用メータへの止水栓付設については特許文献３に記載されるように、エルボ型継手の活用やカートリッジ式逆止弁の使用によって面間距離の短縮が図られてきている。
【特許文献１】特開平０６−１２９５５２号公報
【特許文献２】特開平０７−２８０１１４号公報
【特許文献３】特開２００２−１３１０９７号公報
【発明の開示】
【発明が解決しようとする課題】
【０００５】
しかしながら、ストレーナは止水栓等の流路中に設置されるものであるため、その交換や清掃には機器本体の分解等、極めて面倒な作業が必要となるほか、設置スペースの関係から面間距離の延長や高さの増大を招き、機器本体の体積が増大して設置スペースの狭小な場所では適用できない問題がある。
【０００６】
また、最小限止水栓の設置が必要な水道用メータの設置は本管から分水される配水支管に設置されるものであり、逆流防止のための逆止弁の設定は欠くことができないうえ、本管からの距離の遠近によって給水圧に差がありメータの設置部において流量調整を行うことにより給水圧の調整を行うことが望まれるが、それぞれ独立した装置を設定したのでは、機器本体の体積増大や配管スペースの増大を伴い、到底これに対応し切れない問題がある。
【課題を解決するための手段】
【０００７】
本発明は上記した問題点に対応し、本来の止水機能、異物濾過機能のほか、逆流防止、流量調整機能をも備えたストレーナ止水栓を提供しようとするものであり、ボールバルブの２次側側部に、上面を弁座に構成し側周に濾過スクリーンを設定したユニット体を嵌装した通水室を設け、その上部に上記ユニット体の弁座に着座する浮動弁体を先端に着合して昇降作動する栓棒止水弁と２次側通水口に逆止弁を設定した弁室を設けるようにした。
【０００８】
即ち、副栓として機能するボールバルブの側部にストレーナを嵌装する通水室を設け、その上部に主栓となる栓棒止水弁の弁室を設け、その弁座とストレーナをユニット体に構成することにより弁座設定スペースをストレーナ設定スペースに取り込み、更に、同ユニット体を通水室内に嵌装することにより、ストレーナの設定スペースを節減すると共に、本来、止水栓の１次側通水口と２次側通水口の間に直列するボールバルブの設定スペースと栓棒止水弁の設定スペースを横並びに配置して両通水口間の面間距離を大幅に短縮した。
【０００９】
また、ボールバルブの回動支軸を、ボールに穿設された排出通水孔の中軸に対して所定角度偏心させた位置に設定し、通水が排出通水室に対して斜降角度をもって排出されるように構成して排出通水室をボールバルブの斜下方に配置することにより、その分、栓棒の高さを低く設定することを可能にした。
【００１０】
更に、止水栓の２次側端部を、水道用メータの１次側端部に着合する伸縮管構成とし、伸縮管内に逆止弁を設定するように構成して、水道用メータの止水栓としても活用できるようにし、水道用メータの付設止水栓として使用することにより、メータの２次側端部に改めて逆止弁を設定する必要がなくなり、従来、付加できなかった機能を付加したメータ付設用の多機能止水栓として活用できるようにした。
【００１１】
また、特許文献２に記載されるように逆止弁を併設する止水栓は既に存在するが、逆止弁の作動確認手段を設けたものや、逆止弁設定部を本体から解離する際に予め空気を導入する手段を設けたものは存在しない。本発明は止水部と逆止弁部の間に覆蓋機構を設けた通気孔を穿設することにより、これを逆止弁の作動チェック栓或いは止水栓本体を分解する際に機器内に急激な空気流入を避けるための通気栓として活用できるようにした。
【実施例】
【００１２】
以下、図面を参照して本発明の実施例を説明する。１は止水栓本体で、本管から分水される配水支管との接合口１１からの給水は、ボールバルブ２の排出通水孔２１を通り、通水室２３に嵌合された栓棒止水弁４の弁座とストレーナをユニットに構成したユニット体３を通って２次側配管との接合構造部１３に至る通水路１２を形成する本胴部１ａと栓棒支持胴１ｂからなっている。
【００１３】
栓棒支持胴１ｂは、本胴部１ａの上部に着脱可能に螺合し、内壁に刻設された雌螺子１４と栓棒４の雄螺子４１を螺合させて、栓棒４を支持すると共に弁室４２に対して栓棒４を螺進退させる。栓棒４の先端には浮動弁体４３の支軸４３ａが挿入される挿入孔４３ｂが穿設され、支軸４３ａの挿入によって浮動弁体４３が自重によって下降するフリー状態で栓棒４に着合され、弁室４２に通水がないときは弁体４３は自重で弁座４４に着座するようになっている。
【００１４】
本胴部１ａの下端部には、切換弁室２２が形成され、通止水を切り替える通水孔２１を備えたボールバルブ２が回動可能に収容され、弁室２２の側部に設けられた挿入口２４からハンドルキーを挿入してボールバルブ２との嵌合回動軸２５を介してボールバルブ２を回動することにより通水状態と止水状態が切り換えられるようになっている。
【００１５】
切換弁室側部通水室２３には、上面を弁座４４に構成し側周に濾過スクリーン３１を設定したユニット体３が嵌装され、その上部が栓棒止水弁室４２となっており、配水管からの給水がユニット体３を通して弁室４２に流入すると、浮動弁体４３が押し上げられ水流は通水路１２に通水する。
【００１６】
この場合、栓棒４をハンドル４５によって螺進下降させると、弁体挿入孔４３ｂも相対的に下降し挿入孔の長さ範囲でしか作動しない浮動弁体４３の作動範囲が規制され、供給水圧の高低に対応して流量調整を行えるようになっており、最終的には浮動弁体４３を弁座４４に着接させ、切換弁室２２と栓棒止水弁室４２との間の通水を止水する。
【００１７】
止水弁室４２から通水路１２に至る水路には、逆止弁５が設定され２次側配水管側からの逆流はここで阻止されるようになつており、止水弁室４２には覆蓋機構５２を設けた通気孔５１が穿設され、逆止弁５の作動が正常であるか否かを確認するためのチェック栓、或いは止水栓本体を分解する際に機器内に急激な空気流入を避けるための通気栓として活用できるようになっている。
【００１８】
また、通水路１２の接合構成を水道用メータ１次側端部に接合する伸縮管機構に構成すれば、逆止弁、流量調整機構、ストレーナ機構を別設する必要のない多機能を備えた水道用メータの付設止水栓として活用できるものである。
【００１９】
ストレーナユニット体３は、ゴム等の柔軟素材による上枠３ａと合成樹脂等の素材による下枠３ｂを適宜の支持柱で連結し、円筒状に構成したもので、支持柱と支持柱の間に金網等による濾過スクリーン３１を設定して通水路を形成し、上枠３ａは上面内周部を浮動弁体４３の底部と嵌合する弁座４４に構成し、外周部は弁室２３と弁室４２との隔壁部に設定された嵌合枠に対する嵌合構造となっている。
【００２０】
合成樹脂等の素材による下枠３ｂの底部には、通水室２３の底部に設けられた雌螺子孔２６に螺入するビス３２のビス孔が形成され、ビス固定によって通水圧に耐える固定強度が得られるようになっている。これらの嵌合構造によってユニット体３は通水室２３内に着脱可能に嵌装され、摩耗し易い浮動弁体４３の弁座４４の交換、ストレーナ部の清掃を容易にしている。
【００２１】
ユニット体の交換、清掃を行うには、ボールバルブ２を閉栓して１次側からの通水を止水し、栓棒支持胴１ｂと共に栓棒４を取り外せば、ユニット体３はビス３２を外すだけで自由に取り外せるので、所定の作業を行った後に栓棒４と栓棒支持胴１ｂを取付けてボールバルブ２を開栓する。
【００２２】
逆止弁５の逆流防止性能を確認検査するには、栓棒止水弁４３（ハンドル４５によって浮動弁を弁座４４まで押し下げ閉栓する）又はボールバルブ２或いは両方の弁栓を閉栓して１次側からの通水を止水し、チェック栓５１を開栓する。逆止弁５の作動が正常であればチェック栓からの水漏れは発生しないが、逆止弁に異常があれば２次側からの水圧を受けてチェック栓から連続的な水漏れが発生するので、逆止弁の作動を直ちに確認することができる。
【００２３】
本発明は以上のように構成したので、止水栓の面間距離を大幅に短縮することができ、従来、止水栓とは別に、逆止弁、ストレーナ、流量調整機構等を配管中に設ける必要があったのに対して本願発明による止水栓だけによって全て対応でき、部品交換や修理についても簡易迅速に対応することができたものである。
【図面の簡単な説明】
【００２４】
【図１】本発明によるストレーナ止水栓の実施例を示すもので、ボールバルブについて、回動支軸を所定角度偏心させた位置に設定し、通水が排出通水室に対して斜降排出されるように構成した状態の全体を縦断面とした全体構造正面図である。
【図２】同じく、外観図として示した図１の左側面図である。
【図３】同じく、全体を横断面とした全体構造平面図である。
【図４】同じく、図３を外観図として示した全体構造平面図である。
【図５】同じく、全体構造を分解して縦断面として示した分解縦断面側面図である。
【符号の説明】
【００２５】
１      止水栓本体
１ａ      止水栓本体の本胴部
１ｂ      止水栓本体の栓棒支持胴
１１      止水栓本体の配水支管との接合口
１２      ２次側接合構造部に至る通水路
１３      ２次側配管との接合構造部
１４      栓棒支持胴の栓棒螺合雌螺子
２      切換ボールバルブ
２１      ボールバルブの通水孔
２２      切換弁室
２３      ユニット体嵌装通水室
２４      ハンドルキー挿入口
２５      ボールバルブとハンドルキーとの嵌合回動軸
２６      ユニット体固定雌螺子孔
３      ストレーナユニット体
３ａ      ストレーナユニット体の上枠
３ｂ      ストレーナユニット体の下枠
３１      ストレーナユニット体の濾過スクリーン
３２      ストレーナユニット体の固定ビス
４      栓棒
４１      栓棒の雄螺子
４２      栓棒止水弁室
４３      浮動弁体
４３ａ      浮動弁体の支軸
４３ｂ      栓棒先端の浮動弁体支軸の挿入孔
４４      栓棒止水弁座
４５      栓棒止水弁のハンドル
５      逆止弁
５１      逆止弁の作動チェック栓
５２      逆止弁の作動チェック栓の覆蓋キャップ
【図１】
2007278335.tif 000003
【図２】
2007278335.tif 000004
【図３】
2007278335.tif 000005
【図４】
2007278335.tif 000006
【図５】
2007278335.tif 000007